(57)【要約】      （修正有）【課題】浴槽湯口仕切板とフランジ付きオネジ筒とを即座に接続できるようにして労力を大巾に軽減できるようにした循環風呂湯口装置を提供する。【解決手段】金網ストレーナと、金網ストレーナに内嵌される浴槽給湯口２１及び浴槽戻湯口を設けた浴槽湯口仕切板と、浴槽湯口仕切板に接続するフランジ付きオネジ筒３０と、フランジ付きオネジ筒に螺合する給湯通路及び戻湯通路を設けた本体と、給湯通路及び戻湯通路を設けた本体に連結する給湯配管継手及び戻湯配管継手とを備えた循環風呂湯口装置であって、フランジ付きオネジ筒の、フランジ外周に円周歯３１１を形成し、浴槽湯口仕切板の外筒部分２３に、たわみ板２４を形成して、フランジの円周歯３１１に噛合する１個又は複数個の止着歯２４１を設けると共に、フランジ３１のオネジ側３２２に引掛けることができる１個又は複数個の引掛け爪２４２を設けたもの。【選択図】図５
2013224804.tif 000002
【特許請求の範囲】
【請求項１】
金網ストレーナと、前記金網ストレーナに内嵌される浴槽給湯口及び浴槽戻湯口を設けた浴槽湯口仕切板と、前記浴槽湯口仕切板に接続するフランジ付きオネジ筒と、前記フランジ付きオネジ筒に螺合する給湯通路及び戻湯通路を設けた本体と、前記給湯通路及び戻湯通路を設けた本体に連結する給湯配管継手及び戻湯配管継手とを備えた循環風呂湯口装置であって、前記フランジ付きオネジ筒が、前記フランジ外周に円周歯を形成してなり、前記浴槽湯口仕切板が、外筒部分に、たわみ板を設けて、前記フランジ付きオネジ筒のフランジ外周の円周歯に噛合する１個又は複数個の止着歯を形成すると共に、前記フランジのオネジ側に引掛けることができる１個又は複数個の引掛け爪を設けてなり、前記浴槽湯口仕切板の止着歯を前記フランジ付きオネジ筒の円周歯の任意の位置に噛合すると同時に、前記浴槽湯口仕切板の引掛け爪を前記フランジのオネジ側に着脱可能に止着できるようにしたことを特徴とした循環風呂湯口装置。
【発明の詳細な説明】
【技術分野】
【０００１】
本発明は、浴槽湯を浴槽と循環加熱釜との間で循環させる際に使用される循環風呂湯口装置に関する。
【背景技術】
【０００２】
従来、この種の装置は、図６に示すように、入浴者を保護すると共に、湯垢や爽雑物の加熱釜内の侵入防止をする金網ストレーナ１０と、浴槽給湯口２１及び浴槽戻湯口２２を設けた浴槽湯口仕切板２０Ｂと、前記浴槽湯口仕切板２０Ｂに接続するフランジ付きオネジ筒３０Ｂと、前記フランジ付きオネジ筒３０Ｂに螺合する給湯通路及び戻湯通路を設けた本体４０と、前記本体４０の給湯通路及び戻湯通路と連通して加熱釜に配管される給湯管と戻湯管に連結する給湯管継手及び戻湯管継手５０とを備えて、これらの各部品を組立てて循環風呂湯口装置にする際には、前記浴槽湯口仕切板２０Ｂと、前記フランジ付きオネジ筒３０Ｂとを最低３ヶ所ねじ２０１締めする必要があったが、浴槽外の前記本体４０と浴槽内の前記フランジ付きオネジ筒３０Ｂとを浴槽壁を介して螺合したのち、前記フランジ付きオネジ筒３０Ｂに前記浴槽湯口仕切板２０Ｂを挿入して固定する必要があったが、約外径８ミリメートル前後の前記フランジ付きオネジ筒３０Ｂの少なくとも３ヶ所のねじ穴に、約８ミリメートル前後の外径で少なくとも３ヶ所ある前記浴槽湯口仕切板２０Ｂのねじ穴とを一致させてねじ２０１Ｂ締めすることがかなり手間どる欠点があった。
そこで、本発明者は、前記フランジ付きオネジ筒と浴槽湯口仕切板とをねじ締めすることなく、フランジ付きオネジ筒のフランジに円周歯を設けて、止着歯を設けた浴槽湯口仕切板を挿入すれば、即座に両者を強固に着脱可能に固着できる装置を見出し本発明を完成した。
【先行技術文献】
【特許文献】
【０００３】
【特許文献１】特開平１０−２３８８６４号公報
【発明の概要】
【発明が解決しようとする課題】
【０００４】
本発明は、浴槽に給湯口と戻湯口を設けた循環風呂湯口装置を取りつける労力を大巾に軽減できるようにした循環風呂湯口装置を提供するものである。
【課題を解決するための手段】
【０００５】
本発明循環風呂湯口装置は、上記課題を達成するため、図示するように、金網ストレーナ１０と、前記金網ストレーナ１０に内嵌される浴槽給湯口２１及び浴槽戻湯口２２を設けた浴槽湯口仕切板２０と、前記浴槽湯口仕切板２０に接続するフランジ３１付きオネジ筒３０と、前記フランジ３１付きオネジ筒３０に螺合する給湯通路及び戻湯通路を設けた本体４０と、前記給湯通路及び戻湯通路を設けた本体４０に連結する給湯配管継手及び戻湯配管継手５０とを備えた循環風呂湯口装置であって、前記フランジ３１付きオネジ筒３０が、前記フランジ３１外周に円周歯３１１を形成してなり、前記浴槽湯口仕切板２０が、外筒部分２３にたわみ板２４を設けて、前記フランジ付きオネジ筒３０のフランジ３１外周の円周歯３１１に噛合する１個又は複数個の止着歯２４１を形成すると共に、前記フランジ３１のオネジ側３２２に引掛けることができる１個又は複数個の引掛け爪２４２を形成てなり、前記浴槽湯口仕切板２０の止着歯２４１を前記フランジ３１付きオネジ筒３０のフランジ３１の円周歯３１１の任意の位置に噛合すると同時に、前記浴槽湯口仕切板２０の引掛け爪２４２を前記フランジ３１のオネジ３００側に着脱可能に止着できるようにしたものである。
【発明の効果】
【０００６】
本発明によれば、フランジ付きオネジ筒３０と浴槽湯口仕切板２０とを、フランジ３１外周の円周歯３１１の任意の位置に、即座に接合して固着し、浴槽湯口仕切板２０の浴槽湯口２１及び浴槽戻湯口２２を正しい配置に位置決めすることができる。
【図面の簡単な説明】
【０００７】
【図１】フランジ付きオネジ筒の拡大側面図である。
【図２】浴槽湯口仕切板のストレーナ側の拡大正面図である。
【図３】浴槽湯口仕切板のオネジ側の拡大正面図である。
【図４】浴槽湯口仕切板の拡大側面図である。
【図５】フランジ付きオネジ筒と浴槽湯口仕切板とを接合して固着したときの拡大側面図である。
【図６】従来例の循環風呂湯口装置の組立に必要な各部品を示した説明図である。
【発明を実施するための形態】
【０００８】
本発明循環風呂湯口装置を実施するための形態が、実施例１に示されている。
【実施例１】
【０００９】
本発明の実施例１が図１乃至図５に示されている。
本発明実施例１の循環風呂湯口装置は、入浴者を保護すると共に、湯垢や爽雑物の加熱釜内の侵入防止をする金網ストレーナ１０と、浴槽給湯口２１及び浴槽戻湯口２２を設けた浴槽湯口仕切板２０と、前記浴槽湯口仕切板２０に接続するフランジ３１付きオネジ筒３０Ｂと、前記フランジ３１付きオネジ筒３０に螺合する給湯通路及び戻湯通路を設けた本体４０と、前記本体４０の給湯通路及び戻湯通路と連通して加熱釜に配管される給湯管と戻湯管に連結する給湯管継手及び戻湯管継手５０とを備えた循環風呂湯口装置において、フランジ３１付きオネジ筒３０が、図１に示すように、フランジ３１外周に円周歯３１１を形成したものである。浴槽湯口仕切板２０は、図２、図３及び図４に示すように、外筒部分２３に、フランジ３１付きオネジ筒３０のフランジ３１外周の円周歯３１１に噛合する止着歯２４１を形成すると共に、フランジ３１のオネジ側３２２に引掛けることができる引掛け爪２４２を形成した、合成樹脂製又は金属製のフレキシブルなたわみ板２４をねじ２４１を介して一体的に設けている。
従って、浴槽外の給湯通路及び戻湯通路とを設けた本体４０に、パッキン４３を入れ、オネジ筒３０を浴槽壁（図示しない）を介してパッキン４１及び４２を入れて螺入したのち、浴槽内において、図５に示すように、浴槽湯口仕切板２０のたわみ板２４の止着歯２４１を、フランジ３１の円周歯３１１の任意の位置に噛合すれば、同時に浴槽湯口仕切板２０のたわみ板２４の引掛け爪２４２がフランジ３１のオネジ側３２２に着脱可能に即座に止着できることになる。
【産業上の利用可能性】
【００１０】
本発明品は、小型、軽量、安価に製作でき、量産できる。
【符号の説明】
【００１１】
１０                金網ストレーナ
２０                浴槽湯口仕切板
２１                浴槽給湯口
２２                浴槽戻湯口
２３                浴槽湯口仕切板の外筒部分
２４                たわみ板
２４１              止着歯
２４２              引掛け爪
３０                オネジ筒
３１                フランジ
３１１              円周歯
４０                給湯通路及び戻湯通路を設けた本体
４１、４２、４３    パッキン
５０                給湯管継手及び戻湯管継手
【図１】
2013224804.tif 000003
【図２】
2013224804.tif 000004
【図３】
2013224804.tif 000005
【図４】
2013224804.tif 000006
【図５】
2013224804.tif 000007
【図６】
2013224804.tif 000008